(57)【要約】      （修正有）【課題】一つのバルブ操作により、圧縮ガスのガス圧を低下させると共に、ガス圧を制御しながらガスを噴出させることを可とし、かつ、片手で持てるパーソナルケア用スプレーを提供する。【解決手段】パーソナルケア用スプレーは、利用者が第二バルブニードルを押圧すると、第二バルブ６が解放され、圧力制御室において減圧された二酸化炭素等のガスが噴霧器８へ流入して、化粧水等の機能性水溶液と共に噴出される。圧力制御室からのガスの流出に伴って、圧力制御室のガス圧が低下し、圧力調節体と共にバルブニードルが降下することでガスボンベ４からの圧縮ガスが圧力制御室へ供給され、圧力制御室のガス圧が上昇する。所定の圧力に達すると、圧力調節体とバルブニードルの上昇により圧縮ガスの供給が停止する。以上のような作用によって、噴出されるガス圧は、一定に維持され、安定した流速でのガス噴射が可能となる。【選択図】図１
0003175446.tif 000002
【実用新案登録請求の範囲】
【請求項１】
ガス流により機能性水溶液を噴霧するパーソナルケア用スプレーであって、
機能性水溶液を噴霧する噴霧器と、
圧縮ガスの圧力を制御する圧力制御室と、
前記圧力制御室への圧縮ガスの流入を制御する第一バルブと、
前記圧力制御室から前記噴霧器へのガスの流出を制御する第二バルブと、を備え、
前記第一バルブの開閉は、前記第二バルブの開閉により制御される、パーソナルケア用スプレー。
【請求項２】
前記第一バルブの開閉は、前記第二バルブの開閉による前記圧力制御室の気圧の変化によって制御される、請求項１に記載のパーソナルケア用スプレー。
【請求項３】
前記第一バルブは、圧力制御室内の気圧に応じて変動することで圧力制御室の流通口から圧縮ガスが流入するのを制御する、請求項２に記載のパーソナルケア用スプレー。
【請求項４】
前記第一バルブは、
圧力制御室内の気圧に応じて変動する圧力調節体と、
圧縮ガスの流入を制御する開閉バルブ体から少なくとも構成され、
前記開閉バルブ体は、前記圧力調節体の変動を介して前記流通口からの圧縮ガスの流入を制御する、請求項３に記載のパーソナルケア用スプレー。
【請求項５】
前記流通口からの圧縮ガス流入の制御は、前記開閉バルブ体と前記流通口との接離によって達成される、請求項４に記載のパーソナルケア用スプレー。
【請求項６】
前記開閉バルブ体は、圧力制御室とは反対側の流通口で接離する、請求項５に記載のパーソナルケア用スプレー。
【請求項７】
前記開閉バルブ体は、前記圧力調節体と連結している、請求項６に記載のパーソナルケア用スプレー。
【請求項８】
前記開閉バルブ体は、バルブニードルである、請求項７に記載のパーソナルケア用スプレー。
【請求項９】
圧力制御室の壁面上に前記流通口を囲む包囲壁部が形成されることを特徴とする、請求項３から８のいずれかに記載のパーソナルケア用スプレー。
【請求項１０】
前記圧力調節体の変動は、昇降である、請求項４から９のいずれかに記載のパーソナルケア用スプレー。
【請求項１１】
前記圧力調節体は、褶動しながら昇降する、請求項１０に記載のパーソナルケア用スプレー。
【請求項１２】
前記圧力制御室と前記第二バルブとの間で流体連通して、ガス流の脈動を抑制するコンデンサータンクを更に備える、請求項１から１１のいずれかに記載のパーソナルケア用スプレー。
【請求項１３】
圧縮ガスを供給するガスボンベの接続中に圧縮ガスの漏出を防止するパッキンを更に備える、請求項１から１２のいずれかに記載のパーソナルケア用スプレー。
【考案の詳細な説明】
【技術分野】
【０００１】
本考案は、パーソナルケア用スプレーに関する。
【背景技術】
【０００２】
近年、二酸化炭素が皮膚から吸収されて血管を拡張する作用に注目が集まっている。炭酸ガス発泡入浴剤は、二酸化炭素の血管拡張作用を利用して血液の流れを良くすることで、疲労回復や健康増進を図っている。また美容液に二酸化炭素を溶けこませることで、美容液による皮膚への美容効果に加えて、二酸化炭素によって拡張された毛細血管の血流増加が皮膚への酸素供給量を増加させることで肌の状態を改善させることができることが知られている。また、美容液を二酸化炭素で噴霧することで上記効果を得ることもできる。
【０００３】
美容液を二酸化炭素で噴霧する技術として、例えば、特許文献１には、炭酸ガスボンベから延びるチューブを介して連通するスプレーを用いて二酸化炭素ガス共に美容液を噴霧する美顔器が開示されている。
【先行技術文献】
【特許文献】
【０００４】
【特許文献１】特開２０１０−５１７７４
【考案の概要】
【考案が解決しようとする課題】
【０００５】
しかしながら、特許文献１は、炭酸ガス供給用ボンベとスプレーとが一体的ではないため、上記ボンベを置くかスプレーを持つ手とは反対の手で持たなくてはならない煩わしさがあった。従って、ボンベとスプレーとが一体化して片手で持てる製品が美容業界から望まれていた。
【課題を解決するための手段】
【０００６】
そこで、特許文献１に記載の炭酸ガス供給用ボンベとスプレー本体とを一体化させた美顔器を作製した。しかしながら、このような構成の美顔器で美容液を噴霧すると肌に痛みを感じる結果となり、実用に耐える代物ではなかった。
【０００７】
本考案者らは、鋭意調査を重ねた結果、噴霧により感じる肌への痛みは、噴霧された美容液の勢いが強すぎることによる肌へのダメージであることを突き止めた。これは、ガスボンベ出口からノズル開口部までの距離が短く、圧縮されたガスの圧力が下がらず高圧のまま噴射されることが原因であることが推定された。しかしながら、片手で持つことができるハンディーサイズの美顔器となると、圧縮ガスを十分に減圧することができるスペースを確保することは、構造上困難であった。
【０００８】
そこで、本考案者らは鋭意研究をおこなった結果、一つのバルブ操作により、圧縮ガスのガス圧を低下させると共にガス圧を制御しながらガスを噴出することが可能なパーソナルケア用スプレーの開発に成功した。即ち、本考案は、ガス流により機能性水溶液を噴霧するパーソナルケア用スプレーであって、機能性水溶液を噴霧する噴霧器と、圧縮ガスの圧力を制御する圧力制御室と、前記圧力制御室への圧縮ガスの流入を制御する第一バルブと、前記圧力制御室から前記噴霧器へのガスの流出を制御する第二バルブと、を備え、前記第一バルブの開閉は、前記第二バルブの開閉により制御される、パーソナルケア用スプレーである。
【０００９】
この構成によれば、機能性水溶液の噴霧の都度にガス圧の調整をする必要なく、第二バルブを解放するだけで圧縮ガスを減圧すると共にガス圧を制御しながらガスを噴出することが可能になる。これにより、ガス圧を調節する部品を省くことができ、また、手動操作による圧縮ガスの流量調整をする機構を省くことができ、ハンディータイプである一体型のパーソナルケア用スプレーを提供することが可能になる。ここで「パーソナルケア」とは、個人に対するスキンケ、ヘアケア、エイジングケア等を総称する名称であり、「パーソナルケア用スプレー」とは、スキンケ、ヘアケア、エイジングケア等に用いられる機能性水溶液（例えば、化粧水、美容液、育毛剤等）を噴霧するスプレーを指す。従って、パーソナルケア用スプレーには、化粧水スプレー、美容液スプレーや育毛用スプレー等が含まれる。
【００１０】
また、別の本考案においては、前記第一バルブの開閉は、前記第二バルブの開閉による前記圧力制御室の気圧の変化によって制御される、パーソナルケア用スプレーが提供される。また、前記第一バルブは、圧力制御室内の気圧に応じて変動することで圧力制御室の流通口から圧縮ガスが流入するのを制御する、パーソナルケア用スプレーが提供される。また、前記第一バルブは、圧力制御室内の気圧に応じて変動する圧力調節体と、圧縮ガスの流入を制御する開閉バルブ体から少なくとも構成され、前記開閉バルブ体は、前記圧力調節体の変動を介して前記流通口からの圧縮ガスの流入を制御する、パーソナルケア用スプレーが提供される。また、前記流通口からの圧縮ガス流入の制御は、前記開閉バルブ体と前記流通口との接離によって達成される、パーソナルケア用スプレーが提供される。また、前記開閉バルブ体は、圧力制御室とは反対側の流通口で接離する、パーソナルケア用スプレーが提供される。また、前記開閉バルブ体は、前記圧力調節体と連結している、パーソナルケア用スプレーが提供される。前記開閉バルブ体は、バルブニードルである、パーソナルケア用スプレーが提供される。また、前記圧力調節体の変動は、昇降である、パーソナルケア用スプレーが提供される。また、前記圧力調節体は、褶動しながら昇降する、パーソナルケア用スプレーが提供される。また、圧縮ガスを供給するガスボンベの接続中に圧縮ガスの漏出を防止するパッキンを更に備える、パーソナルケア用スプレーが提供される。
【００１１】
また、別の本考案においては、前記圧力制御室と前記第二バルブとの間で流体連通して、ガス流の脈動を抑制するコンデンサータンクを更に備える、パーソナルケア用スプレーが提供される。
【００１２】
この構成によれば、圧力制御室と第二バルブの間にガスを貯めることができる空間を確保することができる。噴霧器からガス噴出すると圧力制御室までのガス圧が低下するが、圧力調節体の降下によって流通口が解放されてガスが噴霧器へ流れるまでにタイムラグが生じる。これにより、一時的なガス圧低下が生じた後に再び所定の圧力に戻る「脈動」が生じる。圧力制御室から所定の圧力のガスが供給されるまで、所定の圧力のガスを一定期間供給可能に貯めることができるコンデンサータンクを備えることで脈動を抑えることができる。
【００１３】
また、別の本考案においては、圧力制御室の壁面上に前記流通口を囲む包囲壁部が形成されることを特徴とする、パーソナルケア用スプレーが提供される。
【００１４】
この構成によれば、圧力制御室から流出するガスの流れをスムーズにすることができる。包囲壁部がない場合は、圧力制御室の出口とは異なる方向に流れたガスが出口方向へ流れる際に、一部のガスが流通口から出るガスと合流するため、圧力制御室内のガス流に乱れが生じて圧力調節体が不規則に昇降し、脈動が発生するおそれがある。包囲壁部を形成することで、出口とは異なる方向に流れたガスは、包囲壁部の外周を流れることで、流通口へ流れることなく圧力制御室内の気流を安定させることができる。
【図面の簡単な説明】
【００１５】
【図１】図１は、本考案におけるパーソナルケア用スプレーの全体構造を模式的に示した断面図である。
【図２】図２は、本考案におけるレギュレーターの断面図であって、噴霧前の圧力調節体及びバルブニードルの位置を模式的に表したものである。
【図３】図３は、本考案におけるレギュレーターの断面図であって、噴霧時の圧力調節体及びバルブニードルの位置を模式的に表したものである。
【図４】図４は、本考案における噴霧器を模式的に表した断面図である。
【図５】図５は、その他のレギュレーターの構成を示した図である。
【考案を実施するための形態】
【００１６】
図１の断面図に基づいて本考案の実施形態の全体構造を説明する。ケース６０は、上側ケース６０ａと下側ケース６０ｂとで嵌合状態で結合している。カップ９が上部に嵌合されている噴霧器８は、上側ケース６０ａの内部に配設されている。調節ダイヤル５５の一部は上側ケース６０ａから貫通している。カップ９への機能性水溶液の補充は、上側ケース６０ａに嵌合する上部開口蓋体６０ｃを外すことにより可能になる。第二バルブ６は、トリガー７と嵌合され、トリガー７によって、ケース６０の外側から第二バルブ６の操作を可能にしている。第二バルブ６は、コンデンサータンク５と嵌合しており、コンデンサータンク５は、レギュレーターボディー２と嵌合している。シート３は、レギュレーターボディーの下部に嵌合しており、上側ケース６０ａとはネジ６０ｄの螺入により固定されている。これにより、レギュレーターボディー２とシート３を備えるレギュレーター１は、上側ケース６０ａと固定される。ボンベ４はシート３の下部に嵌合している。下側ケース６０ｂは、ボンベの一部を覆うように上側ケース６０ａと嵌合する。下側ケース６０ｂの底部は、尖端がノズルキャップ方向に向く卵形であり、ガスボンベを収納した状態でケース６０が自立可能となる。
【００１７】
図２及び３の断面図に基づいて本考案の実施形態を説明する。レギュレーターボディー２の内部には、スプリングストッパー２２と圧力調節体スプリング２１が収納さ、圧力調節体２０が褶動可能に嵌合されている。圧力調節体２０の側面にはＯリング嵌合溝２０ａが形成され、ツイスターリング３０５が備わっている。圧力調節体スプリング２１側の圧力調節体面とレギュレーターボディー２の内壁とで囲まれる大気室１０１は、大気口１０３を通じて大気と連通している。レギュレーターボディー２の上部にはスプリング調節ネジ２３が螺挿され、スプリングストッパー２２の背面と接している。スプリング調節ネジ２３圧力調節体２０に対向するようにシート３がレギュレーターボディー２に嵌合され、圧力調節体２０とシート３とレギュレーターボディー２の内壁とで圧力制御室１００を形成している。圧力制御室１００は、圧力制御室出口１０４を通じてポート４０と接続している。シート３の中央部に流通口１０５が形成され、流通口１０５にバルブニードル１０が挿通する。バルブニードル１０の連結ロッド１０ｂは、圧力制御室側の圧力調節体２０と嵌合状態で連結し、圧力調節体２０の昇降に連動してバルブニードル１０も昇降する。バルブニードル１０のガイドロッド１０ａには、バルブスプリング１１が内挿される。シート３の内側にバルブガイド１２を嵌合させ、バルブニードル１０を支持している。バルブガイド１２にはＯリング嵌合溝１２ｂが形成され、Ｏリング２０２が備わり、シート３とバルブガイド１２の隙間から圧縮ガスが漏出することを防止する。シート３の外面にはＯリング嵌合溝２ｃが形成され、Ｏリング２０３が備わり、レギュレーターボディー２の下端部からのガスの漏出を防止する。
【００１８】
バルブニードル１０の弁部１０ｃには、圧力調節体側に縮径するテーパー状のバルブニードル側シール面１０ｄが形成され、バルブガイド側の流通口１０５の端部が圧力調節体側に縮径するテーパー状のシート側シール面３ａと接離可能に対向する。圧力調節体２０に加わるシート方向の合力の方が圧力調節体スプリング方向の合力よりも強い場合は、圧力調節体スプリング２１の付勢により圧力調節体２０はシート方向に押し下げられ、これに連動してバルブニードル１０も押し下げられる。バルブニードル１０が押し下げられることにより、バルブニードル側シール面１０ｄとシート側シール面３ａが離間する。シート３のボンベ連結用開口部１０６に圧縮ガスボンベを螺合することで、バルブガイド１２の撃針１２ａによりボンベの封印が貫通して、ガスがバルブガイド１２とシート３の内部を通過することで、流通口１０５から圧力制御室１００に流入する。バルブガイド１２の撃針側には、パッキン嵌合溝１２ｃが形成され、パッキン２０１が備わっている。パッキン２０１は、撃針１２ａの先端と同じ水平面になるよう設置されている。これは、撃針１２ａがガスボンベの封印が貫通してもガスが漏出されるのを防ぐためである。パッキン２０１は、撃針１２ａの先端よりもボンベ連結用開口部方向へ長いものであってもよい。ガイドロッド１０ａと弁部１０ｃの間にはＯリング嵌合溝１０ｅが形成され、Ｏリング２０４が備わっている。
【００１９】
化粧液を噴霧する前、即ち、レギュレーターより下流で流路が閉鎖されている場合は、流通口１０５から圧力制御室１００へガスが流入して、ガス圧が上昇することで圧力調節体２０に加わる圧力調節体スプリング方向の合力の方がシート方向の合力よりも大きくなると、圧力制御室１００が拡張する方向に圧力調節体２０が上昇する。圧力調節体２０が上昇し続けると、これに連動してバルブニードル１０も上昇する。圧力制御室１００のガス圧が所定の圧力に達すると弁体１０ｃのバルブニードル側シール面１０ｄとシート３のシート側シール面３ａとが当接してガスボンベからの圧縮ガスが圧力制御室１００へ流入するのを遮断する。この状態を模式的に示した断面図が図２である。
【００２０】
バルブニードル側シール面１０ｄとシート側シール面３ａとが当接する際の所定の圧力は、スプリング調節ネジ２３を昇降させてスプリングストッパー２２の位置を変えることで調節可能である。具体的には、スプリング調節ネジ２３を圧力調節体方向へ進めると、バルブニードル側シール面１０ｄとシート側シール面３ａとが当接するのに要するガス圧は高くなる。即ち、圧力調節室内のガス圧をより高くすることが可能となり、粘度がより高い機能性水溶液（例えば、ヒアルロン酸を１質量％配合する美容液）の噴霧に適するガス圧に設定することができる。反対方向へ進めると当接するのに要するガス圧は低くなり、粘性がより低い機能性水溶液の噴霧に適するガス圧に設定することができる。スプリングストッパー２２の位置は、工場出荷時に予め設定しておいてもよい。スプリングストッパー２２の位置を予め設定しておくことは、ユーザーが設定する手間を省くことができる点と本実施形態に係るスプレーの部品点数を減らし小型化に寄与する点で好ましい。また、別の実施形態においては、スプリング調節ネジ２３は、ユーザーが操作できる構成とすることができる。
【００２１】
図３は、化粧液の噴霧時のレギュレーターの状態を模式的に示した断面図である。圧力制御室１００からガスが流出することで圧力制御室１００内のガス圧が低下し、圧力調節体２０とバルブニードル１０が降下する。これによりバルブニードル側シール面１０ｄとシート側シール面３ａとが離間して圧縮ガスが流通口１０５から圧力制御室１００に流入する。圧力制御室１００内の圧力に応じて圧力調節体２０とバルブニードル１０が昇降することで流通口１０５から圧力制御室１００へ流入する圧縮ガスの流量を調節して所定の圧力のガス圧にする。
【００２２】
シート３の圧力制御室側に環状の包囲壁部３ｂを設けてもよい。これにより、ガスは圧力調節体方向に流れた後に、包囲壁部３ｂを超えて圧力制御室出口１０４に向かって流れる。この時、圧力制御室出口１０４とは異なる方向に流れたガスは、包囲壁部３ｂの外周を通り、流通口１０５を通ることなく圧力制御室出口１０４へ流れる。結果、圧力制御室１００におけるガス流の乱れに由来する脈動を抑制することが可能になる。包囲壁部３ｂの高さは、圧力制御室出口１０４のシート面からの高さの±３、２又は１％の高さか又は同じ高さを有しても良い。(包囲壁部３ｂの外径−包囲壁部３ｂの内径)／２から求められる包囲壁部３ｂの厚さは、(圧力制御室側シート面の外径−流通口１０５の口径)／２から求められるシート面の幅の１０〜４０％、１５〜３５％又は２０〜３０％の範囲内であってもよい。また、包囲壁部３ｂの内径は、流通口１０５の口径以上であり、包囲壁部３ｂの外径は圧力調節体２０の外径未満である。
【００２３】
図４の断面図に基づいて本考案のレギュレーター以降の実施形態を説明する。ポート４０の出口に減圧されたガスを貯めるコンデンサータンク５を備えてもよい（図４）。機能性水溶液の噴霧によるガス圧の低下が引き起こす脈動を防ぐことができるためである。第二バルブ６は、バルブボディー６ａに下側カバー６ｂが嵌合されてコンデンサータンク５と連結している。第二バルブニードル６ｄがバルブボディー６ａに挿通され、第二バルブニードル６ｄの下部弁体６ｅとバルブボディー内部のテーパー状シール面６ｆとが接離可能な状態で対向する。第二バルブニードルのＯリングストッパー６ｇにＯリング２０５が設置されている。第二バルブニードル６ｄは、下部弁体６ｅと下側カバー６ｂとの間に備わる第二バルブスプリング６ｉにより上側カバー６ｃ方向に付勢される。下側カバーとは反対側のバルブボディー６ａには、Ｏリング嵌合溝６ｈが形成され、Ｏリング２０６は第二バルブニードル６ｄと接する上側カバー６ｃで覆われるようして備わっている。第二バルブニードル６ｄが下側カバー方向に押し込まれると、第二バルブニードルの下部弁体６ｅとバルブボディー内部のテーパー状シール面６ｆとが離間してガスが連結管４１内を通り噴霧器８へ流れる。連結管４１は、バルブボディー６ａから突出する第二バルブ出口部４２に嵌合する。
【００２４】
連結管４１は、バックカバー５０から突出するガス導入口部４３と嵌合して、第二バルブ６と噴霧器８との流体連通を形成し、ガスはバックカバーガス流路４０４に流入する。ノズルコネクター５１は、中央部にノズルコネクター機能性水溶液流路４００が形成され、ノズル開口部５７側にノズル５３が嵌合されてノズルコネクター機能性水溶液流路４００とノズル５３のノズル機能性水溶液流路４０１が連通する。ノズルコネクター５１とノズル５３の間にはＯリング２１１が備わっている。更にノズル５３を覆うようにノズルキャップ５２がノズルコネクター５１に嵌合する。バックカバー５０の中央部にジェットニードルトンネル４０２が形成され、ノズル開口部とは反対側のノズルコネクター５１にノズルコネクター機能性水溶液流路４００とジェットニードルトンネル４０２が連通するようにバックカバー５０が嵌合する。ノズルコネクター機能性水溶液流路４００とノズル機能性水溶液流路４０２とジェットニードルトンネル４０２を通るようにジェットニードル５４が、ノズル５３、ノズルコネクター５１及びバックカバー５０を挿通する。ノズルコネクター機能性水溶液流路４００とジェットニードルトンネル４０２との境目にＯリング２０７を配設し、ノズルコネクター機能性水溶液流路４００とジェットニードルトンネル４０２を区画する。ジェットニードルの先端の位置は、調節ダイヤ５５を回動させることで前後させることが可能である。
【００２５】
カップ９は、アダプター９ｂを介してノズルコネクター５１と嵌合することでノズルコネクター機能性水溶液流路４００と流体連通する。また、カップ用蓋体９ａは、カップ９と嵌合され、中心には通気口１０５が設けられている。アダプター９ｂはジェットニードル５４と略垂直になるように嵌合する。ノズルコネクター５１とアダプター９ｂとの間及びカップ９とアダプター９ｂとの間には、それぞれＯリング２０９と２１０が備わっている。ノズルコネクターガス流路４０３は、ノズルコネクター機能性水溶液流路４００と並行し且つアダプター９ｂとは反対の位置になるようにノズルアダプター内に形成され、バックカバーガス流路４０４と連通する。ノズルコネクターガス流路４０３とバックカバーガス流路４０４とが連通する位置においてバックカバー５０側にＯリング嵌合溝５０ａが形成され、Ｏリング２０８が備わっている。ノズルコネクターガス流路４０３は、ノズルキャップ５２とノズル５３とノズルコネクター５１とで形成される圧搾室４０５と流体連通し、ノズルキャップの絞り部５６で形成されるノズル開口部５７を通じて大気と流体連通する。
【００２６】
ノズル開口部７５からガスが流出すると、ノズルコネクター機能性水溶液流路４００とノズル機能性水溶液流路４０１の内部気圧が低下して、カップ９内の機能性水溶液がアダプター９ｂを通り、絞り部５６においてガスと混合されノズル開口部５７から機能性水溶液が噴霧される。
【００２７】
以上は、本考案にかかるパーソナルケア用スプレーの一実施形態を示すものであって、この一実施形態に限られるものではない。例えば、「嵌合」は、「螺合」であってもよい。また、シート側シール面は、流通口を閉鎖できる形状であれば、水平又は曲面であってもよい。また、流通口の閉鎖はＯリングによるものであってもよく、またシート側シール面とバルブニードル側シール面との当接によってもよい。別の実施形態においては、例えば図５(ａ)で示すように、第一バルブの昇降によって、シートの内側からＯリングが接離することで流通口を開閉して圧縮ガスを制御するレギュレーターを備えるパーソナルケア用スプレーが提供される。上記Ｏリングは、シートの外側に配設されて流通口の開閉を行なってもよい。別の実施形態においては、例えば図５(ｂ)で示すように、第一バルブ内に流路を設けて、第一バルブの昇降によって圧力制御室への連通を開閉して圧縮ガスを制御するレギュレーターを備えるパーソナルケア用スプレーが提供される。また、第一バルブは、圧力調節体と開閉バルブ体から少なくとも構成されてもよい。別の実施形態においては、例えば図５(ｃ)で示すように、圧力調節体と開閉バルブ体は、非連結であり、前記圧力調節体は、昇降することによって開閉バルブ体と接離すると共に、上記開閉バルブ体とシール面との接離を制御するレギュレーターを備えるパーソナルケア用スプレーが提供される。かかる開閉バルブ体は、流通口の開閉が可能であれば、形状は問わず、例えば球体や立方体等であってもよい。上記開閉バルブ体は、バルブスプリングと連結させてもよく、また昇降可能なガイド筒やレールを用いて支持させてもよい。また、圧力調節体は、大気室側へガス漏出を防ぐことが可能であれば、どのような形で封止してもよい。別の実施形態においては、例えば図５(ｄ)で示すように、圧力調節体は、圧力調節体の昇降に応じて伸縮する伸縮性封止体を介してレギュレーターボディーと連結することで、レギュレーターボディーの内周と非褶動で昇降する、レギュレーターを備えるパーソナルケア用スプレーが提供される。上記圧力調節体は、圧力制御室内のガス圧によって圧力調節体自体が変動（例えば湾曲）して、流通口の開閉を可能にする圧力調節体であってもよい。大気成分とは異なるガスを封入して密閉された部屋としてもよい。
【００２８】
また、上述した噴霧器は、既知の噴霧器としてもよい。ジェットニードルに対する、機能性水溶液を貯留するカップに連結するアダプターの角度は、例えば１０、３０、４５、６０、７５及び９０度の何れかから選択される２つの角度の間であってもよく、好ましくは、９０度である。アダプターとジェトニードルとが直交する角度の場合は、機能性水溶液がノズルコネクター機能性水溶液流路に入る際の抵抗により機能性水溶液が液滴になりやすく、粘度の高い機能性水溶液(例えば、ヒアルロン酸を１質量％配合する美容液)であっても機能性水溶液を霧化可能になるためである。また、調節ダイヤルは、ジェットニードルを前後させることが可能であれば螺送や円筒カム等による無段式やノッチ式であってもよい。好ましくは、操作が容易な無段式円筒カムである。また、本考案でしようするガスは、機能性水溶液の噴射に用いることができるガスであれば特に限定しないが、例えば、二酸化炭素や窒素等、又はそれらの混合気体を例示できる。ケースには更なるノズルキャップを装着又は形成して噴霧状態をコントロールしてもよい。上述した個々の構成を組合せたパーソナルケア用スプレーも本考案の範囲内である。
【００２９】
本考案にかかるパーソナルケア用スプレーは、利用者が第二バルブニードル６ｄを押圧すると、第二バルブ６が解放され、圧力制御室１００において減圧されたガスが噴霧器８へ流入して機能性水溶液と共に噴出される。圧力制御室１００からのガスの流出に伴って、圧力制御室１００のガス圧が低下し、圧力調節体２０と共にバルブニードル１０が降下することでガスボンベからの圧縮ガスが圧力制御室１００へ供給され、圧力制御室１００のガス圧が上昇する。所定の圧力に達すると、圧力調節体２０とバルブニードル１０の上昇により圧縮ガスの供給が停止する。以上のような作用によって、噴出されるガス圧は、一定に維持され、安定した流速でのガス噴射が可能となる。
【符号の説明】
【００３０】
１      レギュレーター
２      レギュレーターボディー
３      シート
３ａ    シート側シール面
３ｂ    包囲壁部
３ｃ    Ｏリング嵌合溝
４      ボンベ
５      コンデンサータンク
６      第二バルブ
６ａ    バルブボディー
６ｂ    下側カバー
６ｃ    上側カバー
６ｄ    第二バルブニードル
６ｅ    下部弁体
６ｆ    テーパー状シール面
６ｇ    Ｏリングストッパー
６ｈ    Ｏリング嵌合溝
６ｉ    第二バルブスプリング
７      トリガー
８      噴霧器
９      カップ
９ａ    カップ用蓋体
９ｂ    アダプター
１０    バルブニードル
１０ａ  ガイドロッド
１０ｂ  連結ロッド
１０ｃ  弁部
１０ｄ  バルブニードル側シール面
１０ｅ  Ｏリング嵌合溝
１１    バルブスプリング
１２    バルブガイド
１２ａ  撃針
１２ｂ  Ｏリング嵌合溝
１２ｃ  パッキン嵌合溝
２０    圧力調節体
２０ａ  Ｏリング嵌合溝
２１    圧力調節体スプリング
２２    スプリングストッパー
２３    スプリング調節ネジ
３０    トリガーバルブ
４０    ポート
４１    連結管
４２    第二バルブ出口部
４３    ガス導入口部
５０    バックカバー
５０ａ  Ｏリング嵌合溝
５１    ノズルコネクター
５２    ノズルキャップ
５３    ノズル
５４    ジェットニードル
５５    調節ダイヤル
５６    絞り部
５７    ノズル開口部
６０    ケース
６０ａ  上側ケース
６０ｂ  下側ケース
６０ｃ  上部開口蓋体
６０ｄ  ネジ
１００  圧力制御室
１０１  大気室
１０２  コンデンサータンク
１０３  大気口
１０４  圧力制御室出口
１０５  流通口
１０６  ボンベ連結用開口部
１０７  通気口
２０１  パッキン
２０２、２０３、２０４、２０５、２０６、２０７、２０８、２０９、２１０、２１１  Ｏリング
３０５  ツイスターリング
４００  ノズルコネクター機能性水溶液流路
４０１  ノズル機能性水溶液流路
４０２  ジェットニードルトンネル
４０３  ノズルコネクターガス流路
４０４  バックカバーガス流路
４０５  圧搾室
【図１】
0003175446.tif 000003
【図２】
0003175446.tif 000004
【図３】
0003175446.tif 000005
【図４】
0003175446.tif 000006
【図５】
0003175446.tif 000007